(57)【要約】【課題】本発明は、遊技場における設備投資費及びランニングコストを増大させることなく、補給樋の結露を防止できる遊技場の構造を提供することを目的とした。【解決手段】遊技場の構造は、遊技媒体を用いて遊技可能な１又は複数の遊技機と、遊技機に印加する電圧を所定の電圧に変更する変圧器１０と、遊技機に遊技媒体を供給可能な補給樋を有した遊技機群３１を備えている。変圧器１０は、１又は複数の遊技機に対して１台ずつ接続されるものであり、補給樋２１の下方近傍に配されている。これにより、変圧器１０の排熱で補給樋２１を加熱できるため、補給樋２１に生じ得る結露を防止することができる。【選択図】図１
2012139335.tif 000002
【特許請求の範囲】
【請求項１】
遊技媒体を用いて遊技可能な１又は複数の遊技機と、遊技機に印加する電圧を所定の値に変換する変圧器と、遊技機に遊技媒体を供給可能な補給樋を有した遊技機群を備え、
変圧器は、１又は複数の遊技機に対して、１台ずつ接続されるものであると共に、補給樋の近傍に配されていることを特徴とする遊技場の構造。
【請求項２】
前記変圧器は、補給樋の下方に位置し、いずれかの部分が補給樋に当接した位置あるいは所定の距離離反した位置に固定されていることを特徴とする請求項１に記載の遊技場の構造。
【発明の詳細な説明】
【技術分野】
【０００１】
本発明は、遊技場の構造に関するものであり、特に遊技場を構成する１又は複数の遊技機が群をなした遊技機群における結露を防止できる構造に関する。
【背景技術】
【０００２】
一般的に、パチンコ機やスロット機等の遊技機が遊技可能な遊技場等の商業施設においては、閉店した時点（一般的に２３〜２４時頃）から翌日の営業開始前（例えば、営業開始の３０分〜２時間前）まで、冷暖房装置等の機器への電源投入が停止された状態が維持される。そのため、屋外の雰囲気温度が低い地域や時期においては、冷暖房装置等が運転されていなければ、屋内の雰囲気温度は屋外の雰囲気温度に追従するように低下していく。特に、北海道等の寒さの厳しい地域や、真冬の時期には、遊技場内の温度が摂氏零度以下を示す場合がある。
【０００３】
また、遊技場では、各遊技機の種類やメーカ毎に、遊技機群（遊技島）が形成されており、その遊技島の内部においても、遊技機や遊技機に関連する機器（以下、単に島機器と言う）への電源投入が停止されることで、島機器が排出する熱エネルギー（以下、単に排熱と言う）がほぼなくなるため、閉店時から翌日の営業開始まで、遊技島内部の雰囲気温度は低下する。
【０００４】
そして、このような環境の中、営業が開始される頃には、再び、冷暖房装置や島機器に電源が投入されて、遊技場内や遊技島内部の雰囲気温度が昇温されるが、遊技場の壁面や島機器等の金属製品の表面温度（以下、機器等の表面温度と言う）は、ほぼ低温の状態が維持される。即ち、機器等の表面温度は、意図的な加熱（例えば、温風の吹き付け等による積極的加熱）あるいは電力供給による加熱（機器に供給された電力の一部が熱エネルギー（排熱）による自然加熱）がない限り、雰囲気温度の昇温時間よりも長い時間を要する。これにより、遊技場内（遊技島内部を含む）の雰囲気温度と、前記加熱作用がない機器等の表面温度との間には、温度差が生じてしまう。
【０００５】
また、遊技場では、営業が開始されると多くの人が来場する。そして、人は、呼気等により雰囲気中に水蒸気を排出する。そのため、遊技場に多くの人が存在する状況においては、雰囲気中の絶対湿度が増加すると共に、雰囲気中の相対湿度が増加する。
【０００６】
即ち、機器等の表面温度が雰囲気温度より低くなるような温度差が生じれば、機器等の近傍において漂う空気は冷却されるため、その領域の雰囲気中に保有できる水蒸気の容量が減少し、飽和状態（相対湿度１００％の状態）に達し易くなる。
そのため、遊技場で機器等の表面温度と雰囲気温度との間に温度差が形成されれば、結露現象が発生し、機器等の表面に水滴が発生してしまう場合があった。特に、遊技場においては、遊技島の内部に設置された補給樋における結露現象が深刻な不具合を発生させる懸念があった。
【０００７】
具体的に説明すると、遊技島においては、補給樋は遊技島の上部に設けられており、その補給樋を介して上方から下方に遊技媒体を流す構成であるため、補給樋の下方は多くの遊技機等の電子機器が配置されたレイアウトと言える。そのため、結露現象によって補給樋に水滴が付着して、重力によって落下すると、遊技機等の電子機器に付着してしまう不具合がある。かかる不具合により、それらの電子機器がショートを起こし、場合によっては遊技者に対して多大な損害を与えてしまう懸念があった。
【０００８】
そこで、特許文献１には、補給樋にヒータを設け、必要に応じてヒータを制御して結露を防止する技術が開示されている。
【先行技術文献】
【特許文献】
【０００９】
【特許文献１】特開２００９−５０４９７号公報
【発明の概要】
【発明が解決しようとする課題】
【００１０】
しかしながら、特許文献１のように、結露防止を目的として、わざわざヒータを設けると、設備投資費が増大するだけでなく、ランニングコストも増大するという問題がある。
【００１１】
そこで、本発明では、従来技術の問題に鑑み、遊技場における設備投資費及びランニングコストを増大させることなく、補給樋の結露を防止できる遊技場の構造を提供することを目的とする。
【課題を解決するための手段】
【００１２】
ここで、変圧器は、公知のそれと同様であり、一般的にコイルが内蔵されている。そして、変圧器における入力側と出力側のコイルの巻き数を変化させることによって、商用電源から印加された電圧を所定の電圧に変圧して、機器等に印加するものである。この時、通常、一部の電力が熱エネルギーに変換されて、排熱として外部に放出される。
そこで、請求項１に記載の発明では、遊技媒体を用いて遊技可能な１又は複数の遊技機と、遊技機に印加する電圧を所定の値に変換する変圧器と、遊技機に遊技媒体を供給可能な補給樋を有した遊技機群を備え、変圧器は、１又は複数の遊技機に対して、１台ずつ接続されるものであると共に、補給樋の近傍に配されていることを特徴とする遊技場の構造とされている。
【００１３】
本発明の遊技場の構造は、変圧器を補給樋の近傍に配する構成とした。これにより、変圧器の排熱により、補給樋を加熱することができるため、先に説明したように、屋外の雰囲気温度が低い地域や時期において、雰囲気温度と補給樋の表面温度との間の温度差の開きが低減される。即ち、変圧器の熱エネルギーによって、補給樋の表面温度が雰囲気温度に近くなるか、それ以上の温度になるため、補給樋の近傍を漂う空気が冷却されることが抑制される。これにより、補給樋近傍の空気が露点温度に達し、結露を発生させるという不具合が防止されるため、遊技機等に水滴が落下することがなくなる。結果的に、結露が起因した遊技機等の故障が阻止されるため、遊技中に遊技機等の電源が落ちて遊技者に多大な損害を与えるという問題が起きることがない。
【００１４】
請求項２に記載の発明は、前記変圧器は、補給樋の下方に位置し、いずれかの部分が補給樋に当接した位置あるいは所定の範囲内に離反した位置に固定されていることを特徴とする請求項１に記載の遊技場の構造である。
【００１５】
かかる構成によれば、変圧器が補給樋の下方に位置するため、補給樋を効率的に加熱することができる。また、変圧器を、補給樋に当接した位置あるいは補給樋から所定の距離離反した位置に固定するため、変圧器の排熱による加熱効果が高い。
【発明の効果】
【００１６】
本発明の遊技場の構造では、変圧器の排熱を有効利用して、補給樋を加熱できるため、屋外の雰囲気温度が低い地域や時期において、ヒータを用いることなく、補給樋に結露による水滴が付着することがない。これにより、設備投資費及びランニングコストの増大を招くことなく、水滴が起因する遊技機等の故障を阻止することができる。
【図面の簡単な説明】
【００１７】
【図１】本発明の実施形態に係る遊技場の構造を備えた遊技場の一部を概念的に示す説明図である。
【図２】図１の遊技島をＡ方向から見た断面図である。
【図３】遊技機と変圧器と商用電源との関係を示したブロック図である。
【図４】遊技島に取り付けた載置棚を示す斜視図である。
【図５】図４の載置棚の分解斜視図である。
【図６】図１とは異なる構造を備えた遊技場の一部を概念的に示す説明図である。
【図７】補給樋を示す断面図である。
【図８】載置棚（筐体に相当する部材のみ）の変形例を示す斜視図である。
【図９】補給樋に図８の載置棚を取り付けた際の状態を示す断面図である。
【図１０】吊設部材の変形例を示す斜視図である。
【図１１】載置棚（筐体に相当する部材のみ）の別の変形例を示す斜視図である。
【図１２】載置棚のさらに別の変形例を示す斜視図である。
【発明を実施するための形態】
【００１８】
以下に、本発明を実施形態に係る遊技場の構造について説明する。
なお、特に断りがない限り、上下左右、前後方向の表現に関しては図１を基準として説明する。
【００１９】
本実施形態の遊技場の構造は、図１に示すように、パチンコ機やスロット機等の遊技機３０を１つの群とした所謂遊技島３１に形成した構成である。そこで、以下の説明においては、理解を容易にするために、パチンコ機を備えた１つの遊技島３１に注目して説明する。
【００２０】
遊技島３１は、図１に示すように、所定台数分の遊技機用の遊技機取付部３２が設けられており、その各遊技機取付部３２に１台ずつ遊技機３０が設置されている。具体的には、遊技島３１においては、所定の台数（本実施形態では１列に１０台）の遊技機３０が２列（図１の正面に１列と背面に１列）に配され、各列に遊技機３０が並設されている。
【００２１】
ここで、一般的に、遊技機は、図３に示すように、商用電源における電圧が変圧器を介して印加される構成とされている。即ち、本実施形態では、商用電源における１００Ｖの電圧が、変圧器１０で所定の電圧（本実施形態では２４Ｖ）に減圧されて、遊技機３０に印加される。また、遊技機３０は、直流電源によって電源投入が可能とされているため、図３に示すように、商用電源における交流電源を直流電源に変更できる整流器１１が接続されている。従って、遊技機３０は、変圧器１０と整流器１１が接続され、変圧器１０で所定の電圧に減圧し、さらに整流器１１で直流電圧に変換して、電力が供給される。
なお、本実施形態では、図２に示すように、後述する島空間３３を挟んで対向する２台の遊技機３０に１台の変圧器１０が接続されているため、図１に示すように、１つの遊技島３１に対して１０台ずつの変圧器１０が設けられている。
【００２２】
また、遊技島３１は、内部構造を目隠しする外壁たる化粧板９が設けられている。化粧板９は、遊技機取付部３２を除く箇所に配されており、遊技場の天井側に配された天板３４と、遊技機取付部３２が位置する側に配された幕板（図示しない）と、ランプ板（図示しない）と、腰板３５と、幅木（図示しない）と、並設された遊技機３０の列方向にほぼ直交するように配された妻板３８がある。即ち、遊技島３１は、各化粧板９及び遊技機によって囲繞された島空間３３を有し、そしてその島空間３３に遊技機３０の一部（制御基板等が配置された部分）や遊技機３０を動作させる際に関連する機器が配されている。
【００２３】
島空間３３に配される機器としては、遊技島３１の中央に配され遊技媒体（以下、単に玉と言う）を上方に搬送する玉揚送装置２３と、その玉揚送装置２３によって揚送された玉を各遊技機３０に対して搬送する玉搬送装置２０や、玉が一時的に貯留される貯留タンク（図示しない）及び玉の汚れを除去し研磨する玉研磨装置（図示しない）等がある。
【００２４】
玉搬送装置２０は、主に遊技島３１の上部側に配置されており、玉揚送装置２３から離れるにしたがって下り勾配とされた主搬送路たる補給樋２１と、補給樋２１から各遊技機３０に玉を搬送可能な分岐搬送路たる補給シュート２２により構成されている。そして、補給樋２１の下方の位置に、遊技機３０の制御基板等が配された部分（主に背面部）や、貯留タンク、玉研磨装置（図示しない）等が配置されている。
【００２５】
ところで、屋外の雰囲気温度が低い地域や時期の遊技場においては、先にも説明したように、営業の際に冷暖房装置や遊技機３０等の電源投入が行われても、遊技場内の雰囲気温度に比べて、補給樋２１等の表面温度は低温である。即ち、このような条件下においては、雰囲気温度と補給樋２１等の表面温度との間には、明らかな温度差が生じてしまうことが知られている。これにより、低温の補給樋２１等の近傍に漂う空気が冷却されて、水蒸気が飽和状態となると、補給樋２１等の表面において結露を発生させる場合があった。特に、補給樋２１に結露が生じた場合は、下方に位置する機器等に水滴が付着して故障を発生させる場合があった。
【００２６】
そこで、本実施形態では、遊技島３１内に配される既存の機器を有効利用して、補給樋２１における結露を防止する構成とされている。
以下に、本実施形態の遊技場の構造における特徴的構成について説明する。
【００２７】
一般的に、変圧器（トランス）は、機器に印加する電圧を変更する際に、一部の電力が熱エネルギーに変換されてしまうため発熱する。具体的には、変圧器は、電圧が印加されると、時間の経過と共に一定の温度（例えば摂氏４５〜６０度程度）まで昇温する。また、本実施形態においては、変圧器１０は、遊技機３０が稼働している間、商用電源から印加される状態が継続されるため、安定的に発熱する。即ち、変圧器１０は、所定の電圧に変圧する本来の機能を果たすと共に、安定して発熱を行う熱源としての機能を果たす。
【００２８】
即ち、本実施形態では、変圧器１０を補給樋２１の近傍に配置して熱源として有効利用し、変圧器１０の発する熱エネルギーによって、補給樋２１を加熱できる構成とした。具体的には、遊技島３１の天板３４に載置棚１２を取り付けて、その載置棚１２によって、補給樋２１の下方近傍に変圧器１０が位置するように固定する構成とした。
【００２９】
ここで、まず本実施形態に採用された載置棚１２について説明する。
載置棚１２は、図４に示すように、天板３４から吊り下げて固定可能な吊設部材１５と、変圧器１０が載置される筐体１６と、筐体１６を吊設部材１５に固定する固定部材１７とで構成されている。
【００３０】
吊設部材１５は、図５に示すように、棒状の吊設部２５と、フランジ状の係止部２６とを有する。吊設部２５は、断面が円状であり、外周面にネジが切られた雄ネジ形状とされている。係止部２６は、吊設部２５の一方の端部に接合された円板体であり、吊設部２５の外径より大きく設定されている。
筐体１６は、底面壁たる長方形状の載置部３６と、載置部３６を囲繞するように載置部３６の各縁端から立設した４つの側面壁３７ａ〜３７ｄを有し、載置部３６に対向する一面が開放された籠状部材である。また、筐体１６は、対向する１対の側面壁３７ａ、３７ｃの外側には、吊設部２５を挿通可能な孔を有した挿通部２７がそれぞれ２つずつ設けられている。そして、４つの挿通部２７の位置関係は、各挿通部２７を直線で結ぶと、ほぼ長方形が描ける関係に設定されている。
なお、側面壁３７ｂ、３７ｄには、変圧器１０から延長された電気線等を挿通可能な挿通孔４６が１つずつ設けられている。挿通孔４６は、側面壁３７ｂ、３７ｄの部材厚方向に形成された孔である。
【００３１】
固定部材１７は、ナットであり、吊設部２５に螺合可能な雌ネジ部材である。
従って、本実施形態における載置棚１２は、筐体１６のそれぞれの挿通部２７に対して、吊設部材１５の吊設部２５を挿通し、さらに吊設部２５に固定部材１７を螺合して、筐体１６と吊設部材１５を一体的にして形成される部材である。
【００３２】
続いて、遊技島３１における載置棚１２の各部材の位置関係について説明する。
本実施形態では、図１、２に示すように、載置棚１２を遊技島３１の天板３４に取り付けるため、天板３４に吊設部２５を挿通可能な貫通孔２９（図５）を設ける必要がある。なお、本実施形態では、１つの載置棚１２が４つの吊設部２５を有するため、天板３４には４つの貫通孔２９を設ける。そして、この４つの貫通孔２９は、島空間３３に設置された補給樋２１を天板３４に垂直投影した際に、その垂直投影された補給樋２１を間に、２つが１組となって配置されている。より具体的には、この４つの貫通孔２９の位置は、島空間３３に設置された補給樋２１を避ける位置であって、載置棚１２における筐体１６に設けられた挿通部２７と連通し得る位置に設定されている。なお、貫通孔２９の径は、吊設部材の係止部２６の外径より小さく設定されている。
以下、理解を容易にするために、１つの載置棚１２に注目して説明する。
【００３３】
即ち、図４に示すように、４つの吊設部材１５は、天板３４に設けられた４つの貫通孔２９にそれぞれ挿通されている。即ち、吊設部２５における係止部２６側を基端側とすると、天板３４において、吊設部２５は基端側まで挿通された配置であると共に、天板３４の天面（遊技場の天井側の面）に係止部２６が当接した配置である。このとき、吊設部２５における基端側端部の反対側の端部（以下、突端側端部とも言う）は、補給樋２１の下方の位置まで延びた配置とされている。具体的には、吊設部２５の突端側端部は、補給樋２１の底面と吊設部２５の突端側端部との間に、変圧器１０が収まる程度の間隔が形成される配置である。
なお、遊技島３１においては、補給樋２１が遊技島３１の列方向端部側に向かって下り勾配とされているため、全ての吊設部２５の長さは、天板３４から最も離反した遊技島３１の列方向端部側を基準に決定されている。
【００３４】
そして、吊設部２５の突端側端部には、筐体１６の挿通部２７が挿通されており、さらにその筐体１６の下方に位置するように固定部材１７が螺合されている。即ち、筐体１６は、補給樋２１の下方の位置において、固定部材１７に支持されている。そして、この筐体１６の載置部３６に変圧器１０が載置される。このとき、変圧器１０の上面と補給樋２１の底面とが当接しているか、所定の範囲内（０〜５ｃｍ）の距離で離反した関係であることが好ましい。即ち、本実施形態では、載置棚１２によって、変圧器１０を補給樋２１の下方近傍の適度な位置に配置させることができる。これにより、変圧器１０の熱エネルギーを効率的に補給樋２１に伝搬することができる。
【００３５】
さらに、本実施形態においては、変圧器１０の熱エネルギーによって、より効率的に補給樋２１を加熱できるように、変圧器１０を所定間隔毎に配置している。具体的には、本実施形態では、前記したように、変圧器１０が対面する２台の遊技機３０に対して、１台ずつ配された構成とされているため、図１に示すように、並設された各遊技機３０における列方向に対する所定の位置（図１では遊技機３０の中央から若干左寄りの位置）に配置している。これにより、遊技島３１全体に渡ってほぼ等間隔に変圧器１０を配置することができる。即ち、本実施形態によれば、補給樋２１全体を効率的に加熱することができるため、一部の補給樋２１が低温状態となって一部に結露が生じてしまうという不具合を発生させない。
【００３６】
以上により、本実施形態の遊技場の構造によれば、既存の変圧器１０を熱源として利用できるため、補給樋２１の加熱のためだけの特別な設備投資費が殆ど発生しない。さらに、変圧器１０は、遊技場の営業中は常時電圧が印加されるものであるため、補給樋２１の加熱だけを目的とした電力を要することがない上、安定した熱源として利用することができる。これにより、ランニングコストが増加するという懸念もない。
従って、本実施形態では、特別な設備投資費やランニングコストを増大させることなく、補給樋２１における結露を防止できる。これにより、結露に起因した遊技機３０等の機器の故障を阻止でき、さらにそれに伴って遊技中の遊技者に多大な損害を与えることが阻止できる。
【００３７】
上記実施形態では、天板３４を有した遊技島３１に適応させた遊技場の構造を示したが、本発明はこれに限定されず、図６に示すように、天板３４を有さない遊技島４０に適応させた遊技場の構造であっても構わない。即ち、遊技島４０においては、例えば、変圧器１０の位置を固定する載置棚４１を、補給樋２１に直接的に取り付ける構成が挙げられる。
ここで、公知の補給樋には、球の搬送方向に沿って、１対の被係合部が形成されているものがある。通常、この係合部は、束ねられた配線などをハンガーのように引っ掛けて使用する等を目的として設けられている。そこで、本実施形態においては、補給樋の被係合部を利用して変圧器１０の位置を固定している。
【００３８】
以下、本実施形態で採用される補給樋２１と、この補給樋２１に取り付け可能な載置棚４１について具体的に説明する。なお、補給樋２１については、公知のそれとほぼ同じであるため、本実施形態に関わるところに注目して説明する。
【００３９】
補給樋２１の１対の被係合部４７は、図７に示すように、玉が搬送される搬送路５２の下方に位置し、互いに補給樋２１の内側に向いた構成のものが採用されている。即ち、１対の被係合部４７は、補給樋２１の一部を内側に向かって折り返した部分であり、折り返した端部が上方に向けられている。換言すると、被係合部４７は、上方側が開放された構成とされている。即ち、１対の被係合部４７は、いずれも補給樋２１の下方内側から引っ掛けることが可能な構成である。
【００４０】
載置棚４１は、図８に示すように、底面壁たる長方形状の載置部４２と、載置部４２を囲繞するように載置部４２の各縁端から立設した１対の対向する低側面壁４３ａ、４３ｂと、１対の対向する高側面壁４４ａ、４４ｂを有し、載置部４２に対向する一面が開放された籠状部材である。
【００４１】
低側面壁４３ａ、４３ｂは、載置部４２の長手側縁部に配されており、正面視した形状が長方形状である。そして、低側面壁４３ａ、４３ｂにはそれぞれ、上端側に壁面を外側に折り返した係合部４５が２つずつ設けられている。即ち、係合部４５は、壁面の端部が下方に向けられて、下方側が開放された構成を有した部分である。
なお、低側面壁４３ａ、４３ｂは、弾性機能が確保された構成とされている。即ち、低側面壁４３ａ、４３ｂは、隣接する高側面壁４４ａ、４４ｂと一部（突端側近傍）が分離されており、少なくとも低側面壁４３ａ、４３ｂにおける分離部分が、載置棚４１の内側方向に変形可能な構成とされている。
【００４２】
高側面壁４４ａ、４４ｂは、低側面壁４３ａ、４３ｂよりも立設高さが高く、正面視した形状が補給樋２１の下部側断面の外壁面にほぼ沿う形状とされている。即ち、高側面壁４４ａ、４４ｂは、載置部４２側を基端側とすると、基端側から突端側に向かうにつれて、段階的に幅（正面視した際の左右方向長さ）が狭くされた形状である。そして、高側面壁４４ａ、４４ｂのそれぞれには、変圧器１０から延長された電気線等を挿通可能な挿通孔４６が１つずつ設けられている。挿通孔４６は、高側面壁４４ａ、４４ｂの部材厚方向に貫通した孔である。
【００４３】
以上により、本実施形態では、載置棚４１を補給樋２１に直接的に取り付けることが可能である。即ち、図９に示すように、載置棚４１の低側面壁４３ａ、４３ｂに設けられた係合部４５を、補給樋２１に設けられた被係合部４７に係合させる。このとき、単純に載置棚４１を補給樋２１に取り付けようとしても、係合部４５と被係合部４７が干渉し合って取り付けができないため、載置棚４１の低側面壁４３ａ、４３ｂを内側に変形させてから対向する１対の被係合部４７同士の間に挿通し、係合部４５を被係合部４７に対して係合させる。そして、ビス等の固定手段によって、載置棚４１の位置を固定する。
【００４４】
具体的には、ビス等の固定手段は、補給樋２１の外側面から被係合部４７に突出するように取り付け、その固定手段の突端側で係合部４５を押圧して載置棚４１の位置を固定する。なお、本実施形態においては、言うまでもなく、載置棚４１を補給樋２１に取り付ける前に、予め変圧器１０を載置部４２に載置しておく必要がある。これにより、天板３４を有さない遊技島４０であっても、変圧器１０を補給樋２１近傍に配置させることが可能となるため、上記実施形態と同様の作用効果を得ることができる。
また、遊技島４０においては、載置棚４１に限定されず、床に支持される支持部材を用いて、変圧器１０を補給樋２１の近傍に配置させる構成であっても構わない。
【００４５】
また、本発明は、上記実施形態に示した遊技島３１に、前記した載置棚４１を採用した構成であっても構わない。この場合、前記したように補給樋２１に直接的に取り付けても良いし、天板３４に取り付けても構わない。後者の場合、図１０に示すような被係合部５０を有した吊設部材４６を介して、天板３４に取り付けることができる。
【００４６】
上記した実施形態では、載置棚１２、４１の側面壁を４面構造としたが、本発明ではこれに限定されず、挿通部２７や係合部４５が設けられた対向する１対の側面壁だけを有した構造や、その１対の側面壁と別の１つの側面壁を備えた３面構造（例えば、図１１）であっても構わない。
また、天板３４を有した遊技島３１に限定して言えば、図１２に示す構造の載置棚４８を採用しても、上記した実施形態とほぼ同様の作用効果を得ることができる。即ち、載置棚４８は、４つの挿通部５２を有した底面壁たる載置部５１と、吊設部材１５及び固定部材１７とを備えた構成である。
【００４７】
上記実施形態では、２台の遊技機３０に対して、１台の変圧器１０を接続した構成を示したが、本発明はこれに限定されず、１台の遊技機３０に１台の変圧器を接続した構成であったり、３台以上の遊技機３０に１台の変圧器を接続した構成であっても構わない。
【００４８】
上記実施形態では、遊技島３１が複数の遊技機３０が設置されて形成された構成を示したが、本発明ではこれに限定されず、遊技島は１つの遊技機３０により形成されても構わない。
【符号の説明】
【００４９】
１０    変圧器
１２、４１、４８    載置棚
２１    補給樋
３０    遊技機
３１、４０    遊技島（遊技機群）
３４    天板
４５    係合部
４７、５０    被係合部
【図１】
2012139335.tif 000003
【図２】
2012139335.tif 000004
【図３】
2012139335.tif 000005
【図４】
2012139335.tif 000006
【図５】
2012139335.tif 000007
【図６】
2012139335.tif 000008
【図７】
2012139335.tif 000009
【図８】
2012139335.tif 000010
【図９】
2012139335.tif 000011
【図１０】
2012139335.tif 000012
【図１１】
2012139335.tif 000013
【図１２】
2012139335.tif 000014